(57)【要約】【課題】覆蓋の重量を軽量化すると共に、開閉が容易な屋外設置槽用覆蓋を提供すること。【解決手段】屋外設置槽例えば貯水槽１の対向する縁間に横架して槽開口部２を覆う屋外設置槽用覆蓋において、覆蓋を構成する覆蓋材１０を、一対のアルミニウム製表面板１１と、これら表面板間に介在されるアルミニウム製中空コア材１２とからなるハニカムパネルにて形成する。これにより、覆蓋の重量を軽量化することができると共に、開閉を容易にすることができる。【選択図】    図３
2007239396.tif 000002
【特許請求の範囲】
【請求項１】
浄水槽，貯水槽や上水路等の屋外設置槽の対向する縁間に横架して槽開口部を覆う屋外設置槽用覆蓋において、
上記覆蓋を構成する覆蓋材を、一対のアルミニウム製表面板と、これら表面板間に介在されるアルミニウム製中空コア材とからなるハニカムパネルにて形成してなる、ことを特徴とする屋外設置槽用覆蓋。
【請求項２】
請求項１記載の屋外設置槽用覆蓋において、
上記覆蓋材は、一端から他端に向かって該覆蓋材のたわみを考慮して求められた傾斜を有する、ことを特徴とする屋外設置槽用覆蓋。
【請求項３】
請求項２記載の屋外設置槽用覆蓋において、
上記覆蓋材の低所部での水勾配は０％以上である、ことを特徴とする屋外設置槽用覆蓋。
【請求項４】
請求項２記載の屋外設置槽用覆蓋において、
上記低所部での水勾配は１％以上である、ことを特徴とする屋外設置槽用覆蓋。
【請求項５】
請求項２記載の屋外設置槽用覆蓋において、
上記覆蓋材の傾斜は一端と他端との高さの差（ｈ）｛ｍｍ｝、覆蓋材の全長（ｌ）｛ｍｍ｝、単位長さあたりの覆蓋材の自重と積載荷重の和（Ｗ）｛Ｎ／ｍｍ｝、覆蓋材全体のヤング率（Ｅ）｛Ｎ／ｍｍ２｝、覆蓋材の断面２次モーメント（Ｉ）｛ｍｍ４｝としたとき、
ｈ≧（Ｗｌ４／２４ＥＩ）＋（ｌ／１００）である、
ことを特徴とする屋外設置槽用覆蓋。
【請求項６】
請求項１ないし５のいずれかに記載の屋外設置槽用覆蓋において、
上記覆蓋材の端部を支持する支持部材を、互いに積層可能なアルミニウム製押出形材にて形成してなる、ことを特徴とする屋外設置槽用覆蓋。
【請求項７】
請求項１ないし５のいずれかに記載の屋外設置槽用覆蓋において、
上記覆蓋材の端部を支持する支持部材を、一対のアルミニウム製表面板と、これら表面板間に介在されるアルミニウム製中空コア材とからなるハニカムパネルにて形成してなる、ことを特徴とする屋外設置槽用覆蓋。
【請求項８】
請求項６又は７記載の屋外設置槽用覆蓋において、
上記覆蓋材の端部と上記支持部材の上端部を接合する接合部材を、上記覆蓋材及び支持部材の端部をそれぞれ嵌合する嵌合溝と、両嵌合溝を連結する中空連結部とを有するアルミニウム製押出形材にて形成してなる、ことを特徴とする屋外設置槽用覆蓋。
【請求項９】
請求項６ないし８のいずれかに記載の屋外設置槽用覆蓋において、
上記両支持部材の下端部に、屋外設置槽の縁部上面に敷設されたレール上を転動可能なローラを装着し、上記支持部材の一方の下部には、上記レールの上面に沿設された起立凸状片の両側面に転動可能に係合するガイドローラを装着してなる、ことを特徴とする屋外設置槽用覆蓋。
【請求項１０】
請求項９記載の屋外設置槽用覆蓋において、
上記レールの起立凸状片に側方に開口する係止凹溝を設け、支持部材の下端部には、上記係止凹溝内に挿入される浮上り防止片を設けた、ことを特徴とする屋外設置槽用覆蓋。
【請求項１１】
請求項１ないし１０のいずれかに記載の屋外設置槽用覆蓋において、
上記覆蓋材の複数によって上記覆蓋を構成すると共に、隣接する覆蓋材同士を互いに収納及び引き出し可能に形成してなる、ことを特徴とする屋外設置槽用覆蓋。
【発明の詳細な説明】
【技術分野】
【０００１】
この発明は、例えば浄水場に設置される浄化槽，貯水槽や上水路等の屋外設置槽の開口部を被覆する屋外設置槽用覆蓋に関するものである。
【背景技術】
【０００２】
一般に、浄化槽，貯水槽や上水路等は、精製した上水に雨水等による大気の汚れやゴミの浸入を防ぐために、浄化槽，貯水槽や上水路等の開口部を平板状の覆蓋で被覆している。従来では、これらの覆蓋の材料として、軽量で作業性に優れ、長尺で幅広の面材が形成でき、かつ、リサイクル性に優れたアルミニウム製の覆蓋が提案されている。
【０００３】
アルミニウム製の覆蓋として、複数の枠材にアルミニウム製板材が取付けられた屋根材（覆蓋材）が知られており、この屋根材の両側には車輪ユニットが取付けられ、槽の縁部に沿設されたレール上を移動するようになっている（例えば、特許文献１参照）。
【特許文献１】特開２００５−８２４５号公報（段落番号００１２、図１，図２）
【発明の開示】
【発明が解決しようとする課題】
【０００４】
しかしながら、従来の特開２００５−８２４５号公報に記載の覆蓋においては、枠材に表面板を張った構造であるために、表面板の変形が生じ屋根勾配を大きくしないと覆蓋上に水が滞留するので、大きな屋根勾配が必要であった。
【０００５】
また、枠材に表面板を張った構造とするには、枠材の剛性を極めて高くしないと平面より見た形状における変形（面内変形）が生じるという問題があった。また、剛性を高くするには重量が増加するため、覆蓋を手動で開閉する場合に、１人で開閉することが困難となり、車輪構造を工夫する必要があった。
【０００６】
この発明は上記事情に鑑みてなされたもので、覆蓋の重量を軽量化すると共に、開閉が容易な屋外設置槽用覆蓋を提供することを課題とする。
【課題を解決するための手段】
【０００７】
上記課題を解決するために、この発明の屋外設置槽用覆蓋は、浄水槽，貯水槽や上水路等の屋外設置槽の対向する縁間に横架して槽開口部を覆う屋外設置槽用覆蓋において、  上記覆蓋を構成する覆蓋材を、一対のアルミニウム製表面板と、これら表面板間に介在されるアルミニウム製中空コア材とからなるハニカムパネルにて形成してなる、ことを特徴とする。ここで、アルミニウムとはアルミニウム又はアルミニウム合金を含む意味である。
【０００８】
このように構成することにより、覆蓋をアルミニウム製ハニカムパネルにて形成することができるので、重量を軽量化することができる。また、覆蓋を構成する覆蓋材が槽の縁間に横架されるので、外部からの雨水等の浸入を防止することができる。
【０００９】
また、請求項２記載の発明は、請求項１記載の屋外設置槽用覆蓋において、上記覆蓋材は、一端から他端に向かって該覆蓋材のたわみを考慮して求められた傾斜を有する、ことを特徴とする。ここで、傾斜は、覆蓋材の一端と他端との高さの差（ｈ）と覆蓋材の全長（ｌ）との比、すなわちｈ／ｌ（％）である。
【００１０】
請求項２記載の発明において、上記覆蓋材の低所部での水勾配を０％以上、好ましくは、１％以上とする方がよい（請求項３，４）。
【００１１】
また、上記覆蓋材の一端と他端との高さの差（ｈ）｛ｍｍ｝、覆蓋材の全長（ｌ）｛ｍｍ｝、覆蓋材の自重と積載荷重の和（Ｗ）｛Ｎ／ｍｍ｝、覆蓋材全体のヤング率（Ｅ）｛Ｎ／ｍｍ２｝、覆蓋材の断面２次モーメント（Ｉ）｛ｍｍ４｝としたとき、
ｈ＝（Ｗｌ４／２４ＥＩ）＋（ｌ／１００）の式から覆蓋材のたわみを考慮して容易に設計でき、上記覆蓋材の一端と他端との高さの差（ｈ）を、上記の式から求めた値以上にする方が好ましい（請求項５）。
【００１２】
このように構成することにより、覆蓋材がたわんだ状態においても覆蓋上面に雨水等を溜めることなく、雨水等を覆蓋材の一端から他端側へ排水することができる。
【００１３】
また、請求項６記載の発明は、請求項１又は２記載の屋外設置槽用覆蓋において、上記覆蓋材の端部を支持する支持部材を、互いに積層可能なアルミニウム製押出形材にて形成してなる、ことを特徴とする。
【００１４】
このように構成することにより、アルミニウム製押出形材の段積み状態を変えることにより覆蓋の高さを任意に変えることができる。また、アルミニウム製押出形材の段積み状態を変えることにより、覆蓋材に水勾配を容易に設けることができる。
【００１５】
また、請求項７記載の発明は、請求項１又は２記載の屋外設置槽用覆蓋において、上記覆蓋材の端部を支持する支持部材を、一対のアルミニウム製表面板と、これら表面板間に介在されるアルミニウム製中空コア材とからなるハニカムパネルにて形成してなる、ことを特徴とする。
【００１６】
このように構成することにより、支持部材を覆蓋と同様なハニカムパネルにて形成することができ、また、ハニカムパネル製の支持部材の高さを変えることにより覆蓋の高さを任意に変えることができる。また、ハニカムパネルの高さを変えることにより、覆蓋材のスパンの変化に対しても覆蓋材に必要な水勾配を容易に設けることができる。
【００１７】
また、請求項８記載の発明は、請求項６又は７記載の屋外設置槽用覆蓋において、上記覆蓋材の端部と上記支持部材の上端部を接合する接合部材を、上記覆蓋材及び支持部材の端部をそれぞれ嵌合する嵌合溝と、両嵌合溝を連結する中空連結部とを有するアルミニウム製押出形材にて形成してなる、ことを特徴とする。
【００１８】
このように構成することにより、覆蓋と支持部材との接合を容易かつ強固にすることができると共に、接合部からの雨水等の浸入を阻止することができる。
【００１９】
また、請求項９記載の発明は、請求項６ないし８のいずれかに記載の屋外設置槽用覆蓋において、上記両支持部材の下端部に、屋外設置槽の縁部上面に敷設されたレール上を転動可能なローラを装着し、上記支持部材の一方の下部には、上記レールの上面に沿設された起立凸状片の両側面に転動可能に係合するガイドローラを装着してなる、ことを特徴とする。この場合、上記レールの起立凸状片に側方に開口する係止凹溝を設け、支持部材の下端部には、上記係止凹溝内に挿入される浮上り防止片を設ける方が好ましい（請求項１０）。
【００２０】
このように構成することにより、ハニカムパネルにて形成される覆蓋材の面外曲げ剛性が大きいことを利用してレールに負荷を与えることなく、覆蓋材をレールに沿って開閉移動することができる。この場合、レールの起立凸状片に側方に開口する係止凹溝を設け、支持部材の下端部には、係止凹溝内に挿入される浮上り防止片を設けることにより、覆蓋材の移動時や風圧等によって覆蓋材が浮き上がってレールから脱落するのを防止することができる。また、ハニカムパネルにて構成したことにより面内剛性が高くなるので、平面より見た形状において変形が生じないので、上記のような簡単なローラ等の構造でも、一人で覆蓋の開閉を行うことができる。
【００２１】
また、請求項１１記載の発明は、請求項１ないし１０のいずれかに記載の屋外設置槽用覆蓋において、上記覆蓋材の複数によって上記覆蓋を構成すると共に、隣接する覆蓋材同士を互いに収納及び引き出し可能に形成してなる、ことを特徴とする。
【００２２】
このように構成することにより、覆蓋の任意の箇所を開放することができると共に、開放された覆蓋材を隣接する覆蓋材内に収納することができる。
【発明の効果】
【００２３】
この発明によれば、上記のように構成されているので、以下のような効果が得られる。
【００２４】
（１）請求項１記載の発明によれば、覆蓋をアルミニウム製ハニカムパネルにて形成することにより、重量を軽量化することができるので、屋外設置槽の開口部への設置及び開閉を容易にすることができる。また、外部からの雨水等の浸入を防止することができるので、特に、屋外設置槽が浄化槽，上水路等に利用される場合には、槽内の飲料水が雨水等によって汚染されるのを防止することができる。
【００２５】
（２）請求項２〜５記載の発明によれば、覆蓋材が自重ないし積載荷重によりたわんだ状態においても覆蓋上面に雨水等を溜めることなく、雨水等を覆蓋材の一端から他端側へ排水することができるので、上記（１）に加えて、更に槽内への雨水等の浸入を確実に阻止することができる。
【００２６】
（３）請求項６記載の発明によれば、アルミニウム製押出形材の段積み状態を変えることにより覆蓋の高さを任意に変えることができ、また、アルミニウム製押出形材の段積み状態を変えることにより、覆蓋材に水勾配を容易に設けることができる。したがって、上記（１），（２）に加えて、更に覆蓋の設置を容易にすることができる。
【００２７】
（４）請求項７記載の発明によれば、支持部材を覆蓋と同様なハニカムパネルにて形成することができ、また、ハニカムパネル製の支持部材の高さを変えることにより覆蓋の高さを任意に変えることができ、また、ハニカムパネルの高さを変えることにより、覆蓋材に水勾配を容易に設けることができる。したがって、上記（１），（２）に加えて、更に覆蓋の設置を容易にすることができる。また、覆蓋材と支持部材を兼用することができるので、構成部材の種類の低減化及びコストの低廉化を図ることができる。
【００２８】
（５）請求項８記載の発明によれば、覆蓋と支持部材との接合を容易かつ強固にすることができると共に、接合部からの雨水等の浸入を阻止することができるので、上記（１）〜（４）に加えて、更に槽内への雨水等の浸入を確実に阻止することができる。
【００２９】
（６）請求項９記載の発明によれば、レールに負荷を与えることなく、覆蓋材をレールに沿って開閉移動することができるので、上記（１）〜（５）に加えて、更に覆蓋材の開閉作業を容易にすることができる。この場合、レールの起立凸状片に側方に開口する係止凹溝を設け、支持部材の下端部には、係止凹溝内に挿入される浮上り防止片を設けることにより、覆蓋材の移動時や風圧等に覆蓋材が浮き上がってレールから脱落するのを防止することができるので、覆蓋材の開閉を安定にすることができる（請求項１０）。
【００３０】
（７）請求項１１記載の発明によれば、覆蓋の任意の箇所を開放することができると共に、開放された覆蓋材を隣接する覆蓋材内に収納することができるので、上記（１）〜（６）に加えて、更に覆蓋材が邪魔にならずに屋外設置槽の保守・点検作業を容易にすることができる。
【発明を実施するための最良の形態】
【００３１】
以下に、この発明に係る屋外設置槽用覆蓋の最良の実施形態を添付図面に基づいて詳細に説明する。
【００３２】
＜第１実施形態＞
図１は、この発明に係る屋外設置槽用覆蓋の第１実施形態の使用状態（被覆状態）を示す概略平面図、図２は、図１のＩ−Ｉ線に沿う断面図、図３は、図１のII−II線に沿う断面図である。
【００３３】
上記覆蓋は、屋外設置槽例えば貯水槽１の対向する縁間に支持部材２０を介して横架される複数（図面では５枚の場合を示す）の覆蓋材１０Ａ〜１０Ｅ（以下に符号１０で代表する）と、貯水槽１の対向する縁部上を走行可能なローラ３０を具備しており、これら覆蓋材１０によって貯水槽１の開口部２を開閉可能に形成されている。
【００３４】
上記覆蓋材１０は、一対のアルミニウム製表面板１１と、これら表面板１１間に介在されるアルミニウム製の中空コア材１２とをろう付けあるいは接着によって一体化したハニカムパネルによって形成されている。なお、この場合、覆蓋材１０の縁部の表面板１１間には、アルミニウム製の中空押出形材にて形成される枠材１３が介在されている。
【００３５】
また、上記支持部材２０は、互いに積層可能なアルミニウム製の押出形材２１Ａ，２１Ｂによって形成されている。この場合、支持部材２０を構成する押出形材２１Ａ，２１Ｂは、図４及び図５に示すように、中空矩形基部２２の上下面に互いに嵌合可能な嵌合凸条２３又は嵌合凹条２４を有する第１の押出形材２１Ａと、中空矩形基部２２の下面に嵌合凸条２３又は嵌合凹条２４を有し、上面に覆蓋材１０の端部を載置する略水平状の平坦面（具体的には、後述する水勾配θと同等の勾配面）を有する載置面２５を備える第２の押出形材２１Ｂの２種類が使用されている。
【００３６】
上記支持部材２０の高さすなわち第１及び第２の押出形材２１Ａ，２１Ｂの積層段数を変えることによって覆蓋材１０は、一端から他端に向かって水勾配θ例えば５％が設けられている（図３参照）。
【００３７】
このように水勾配θを設けることにより、覆蓋材１０の上面に雨水等が溜まるのを防止することができ、雨水等を覆蓋材１０の一端から他端側へ排水することができる。なお、第２の押出形材２１Ｂの上面と覆蓋材１０の枠材１３とは連結ボルト２６によって固定されている（図４及び図５参照）。このとき、第２の押出形材２１Ｂの上面が水平である場合には、水勾配θに対応させて例えば合成ゴム製のスペーサを介在させればよい。なお、覆蓋材１０の枠材１３の端部及び支持部材２０の外側には化粧カバー２７が被着されている（図４及び図５参照）。
【００３８】
なお、連結ボルトのナットは枠材１３の上面に形成した工具挿入孔（図示せず）よりボックススパナ等を挿入して締め付けられ、工具挿入孔はハニカムパネル製造に際して表面板１１により覆われる。
【００３９】
また、図４及び図５に示すように、高所側及び低所側の支持部材２０の最下段を構成する第１の押出形材２１Ａの下面には、貯水槽１の縁部上面に敷設された例えばアルミニウム製押出形材にて形成されるレール４０上を転動可能なローラ３０が装着され、覆蓋材１０の一端例えば低所側の支持部材２０の下面には、ガイドローラ３５が装着されている。
【００４０】
この場合、ローラ３０は、図４，図８及び図９に示すように、１枚の覆蓋材１０の端部を支持する一対の支持部材２０の最下段の第１の押出形材２１Ａの下面に嵌合固定されるアルミニウム製中空押出形材にて形成される桁材３１の下面に連結ボルト３２によって固定される二又状ブラケット３３に支持軸３４を介して回転自在に装着されている。この場合、桁材３１は、図４に示すように、最下段の第１の押出形材２１Ａの嵌合凸条２３と嵌合可能な嵌合凹条３１ａが設けられている。このように構成されるローラ３０は、貯水槽１の縁部上面にアンカーボルト４１によって敷設固定されるレール４０の走行面４２上に転動可能に載置されている。
【００４１】
また、ガイドローラ３５は、図５に示すように、低側の支持部材２０の最下段に位置する第１の押出形材２１Ａ又は第２の押出形材２１Ｂの下面に保持板３６を介して固定されるアルミニウム製中空押出形材からなる取付部材３７の下面に垂下される一対の支軸３８に回転自在に装着されて、レール４０の上面に沿設される起立凸状片４３の両側面に転動可能に係合している。この場合、保持板３６及び取付部材３７は固定ボルト３９によって第１の押出形材２１Ａ及び第２の押出形材２１Ｂの下面に固定されており、また、ガイドローラ３５は、上記ローラ３０の走行軌道より覆蓋材１０の内側にずれた位置に装着されている。
【００４２】
上記のようにガイドローラ３５を、レール４０の上面に沿設される起立凸状片４３の両側面に転動可能に係合することにより、覆蓋材１０の開閉移動の際に覆蓋材１０が走行方向に傾くことなく、また、開閉方向と直行する方向に移動することなくローラ３０のレール４０上の転動を円滑にすることができる。この際、覆蓋材１０はハニカムパネルにて形成されているため、面外曲げ剛性が大きいので、レール４０に負荷を与えることなくレール４０に沿って開閉移動することができる。
【００４３】
また、図４に示すように、レール４０の起立凸状片４３には、側方に開口する係止凹溝４４が設けられており、この係止凹溝４４内に、支持部材２０の下端部に設けられた略Ｌ字状の浮上り防止片４５が挿入されている。なお、この場合、浮上り防止片４５は二又状ブラケット３３と一体に設けられている。このように、レール４０の起立凸状片４３に側方に開口する係止凹溝４４を設け、支持部材２０の下端部に、係止凹溝４４内に挿入される浮上り防止片４５を設けることにより、覆蓋材１０の開閉移動時や風圧等によって覆蓋材１０が浮き上がってレール４０から脱落するのを防止することができる。
【００４４】
また、隣接する覆蓋材１０同士は、互いに収納及び引き出し可能に形成されている。この場合、図１及び図２に示すように、左右両端部に位置する覆蓋材１０Ａ，１０Ｅに対してそれぞれ隣接する覆蓋材１０Ｂ，１０Ｄは、覆蓋材の長手方向に長く及び高さ方向に高く形成されて、左右両端部に位置する覆蓋材１０Ａ，１０Ｅを相対的に収納及び引き出し可能に形成されている。また、図１及び図２において中間に位置する覆蓋材１０Ｃも左右両端部に位置する覆蓋材１０Ａ，１０Ｅと同様に覆蓋材１０Ｂ，１０Ｄに対して相対的に収納及び引き出し可能に形成されている。
【００４５】
このように構成することにより、全ての覆蓋材１０Ａ〜１０Ｅを引き出して貯水槽１の開口部２を閉塞することができ、また、覆蓋材１０Ａ〜１０Ｅのいずれかを隣接する覆蓋材１０に相対的に収納して、任意の箇所を開放することができる。
【００４６】
なお、隣接する覆蓋材１０Ａ〜１０Ｅにおいて、収納状態で外側に位置する覆蓋材１０Ｂ，１０Ｄの開閉移動側端部には、例えば合成ゴム製の水切りシート４６が垂下され、内側に位置する覆蓋材１０Ａ，１０Ｃ，１０Ｅの開閉移動側端部には、水切りシート４６と重なるように水切り片４７が立設されている（図２及び図６参照）。また、左右両端部に位置する覆蓋材１０Ａ，１０Ｅの貯水槽１の縁部側端部には、例えば合成ゴム製の水切りシート４６が垂下され、貯水槽１の縁部には、水切りシート４６と重なるように水切り片４７Ａが立設されている（図６参照）。
【００４７】
なお、覆蓋材１０は、ロック機構５０によって開放位置及び閉塞位置においてレール４０にロック可能に形成されている。この場合、ロック機構５０は、図７に示すように、覆蓋材１０を支持する支持部材２０の下端部に垂下され、レール４０の起立凸状片４３の外側方に延在する二又状ブラカット３３に延在する支持ブラケット５１と、この支持ブラケット５１に設けられた貫通孔５２内に摺動自在に貫通され、圧縮ばね５３の付勢力によって常時起立凸状片４３から離反する方向に押圧されるストッパピン５４と、起立凸状片４３に設けられ、ストッパピン５４が挿入可能な係止孔５５とで構成されている。すなわち、ストッパピン５４は公知の構造によりその先端が係止孔５５内にありロックされた状態と、ストッパピン５４の先端が係止孔５５より左方向に外れフリーな状態に維持できるようになっている。
【００４８】
次に、覆蓋材１０に設けられる水勾配θについて詳細に説明する。まず、適正な水勾配θを設けるには、覆蓋材１０のたわみを考慮しなければならない。たわみを求めるには、覆蓋材１０は等分布荷重の梁材と考えられるので、図１０（ａ）に示すように、単位長さあたりの等分布荷重（ｗ）｛Ｎ/ｍｍ｝による単純梁のたわみ量δ｛ｍｍ｝は、
δ＝（ｗｌ４／２４ＥＩ）×（ｘ／ｌ−２ｘ３／ｌ３＋ｘ４／ｌ４）
である。
【００４９】
ここで、ｌは梁の全長（覆蓋材の長さ）｛ｍｍ｝、Ｅは梁材のヤング率｛Ｎ／ｍｍ２｝、Ｉは梁材の断面２次モーメント｛ｍｍ４｝である。
【００５０】
また、図１０（ａ）に示すように、たわみ角φは、
φ＝ｄｙ／ｄｘ
＝（ｗｌ４／２４ＥＩ）×（１／ｌ−６ｘ２／ｌ３＋４ｘ３／ｌ４）
である。
【００５１】
ｘ＝０（原点）においては、
φ＝ｗｌ３／２４ＥＩ
となる。
【００５２】
覆蓋材に単位長さあたり荷重Ｗ［（自重）＋（積載荷重）｛Ｎ／ｍｍ｝］を載荷し、最小でも低所部での水勾配を０（ゼロ）％以上とするため、図１０（ｂ）の通り、
所要傾斜量ｈ’ は
ｔａｎφ＝ｔａｎ（Ｗｌ３／２４ＥＩ）≦ｈ’／ｌ
たわみ角φは微小であるため、
ｔａｎ（Ｗｌ３／２４ＥＩ）≒Ｗｌ３／２４ＥＩ であり
ｈ’／ｌ≧（Ｗｌ３／２４ＥＩ）
となり、上式より、
ｈ’  ≧（Ｗ×ｌ４／２４×Ｅ×Ｉ）
となる。
【００５３】
よって、水の排出をより確実にするために荷重載荷でたわみが生じた後に覆蓋の低所部での水勾配を１％以上とするには、傾斜を得るための覆蓋材の高さの差（ｈ）｛ｍｍ｝を
ｈ≧ｈ’ + ｌ／１００
≧Ｗｌ４／２４ＥＩ＋ｌ／１００
したがって、上記の式より、覆蓋材の一端と他端との高さの差ｈ（ｍｍ）は、覆蓋材の全長（ｌ）｛ｍｍ｝、覆蓋材の単位長さあたりの自重と積載荷重の和（Ｗ）｛Ｎ／ｍｍ｝、覆蓋材全体のヤング率（Ｅ）｛Ｎ／ｍｍ２｝、覆蓋材の断面２次モーメント（Ｉ）｛ｍｍ４｝としたとき、
ｈ≧  Ｗｌ４／２４ＥＩ＋ｌ／１００とする方がよい。
【００５４】
なお、覆蓋材１０の異なる種類における傾斜量に対する低所部での水勾配を調べたところ、表１に示すような結果が得られた。
【表１】
2007239396.tif 000003
【００５５】
この結果、覆蓋材１０に対して通常の長さに覆蓋材であれば傾斜を得るための一端と他端の高さの差を２０６〜４３９ｍｍ程度とれば低位部での水勾配は３．５〜４．４％となり充分な水勾配を得られることが判った。
【００５６】
＜第２実施形態＞
図１１は、この発明に係る第２実施形態における覆蓋材と支持部材の高所側を示す断面図、図１２は、第２実施形態における覆蓋材と支持部材の低所側を示す断面図である。
【００５７】
第２実施形態は、支持部材をハニカムパネルにて形成した場合である。すなわち、覆蓋材１０の端部を支持する支持部材２０Ａを、一対のアルミニウム製表面板１１と、これら表面板１１間に介在されるアルミニウム製中空コア材１２とからなるハニカムパネルにて形成した場合である。この場合、表面板１１と中空コア材１２とはろう付けあるいは接着によって一体化されている。このようにハニカムパネルにて形成される支持部材２０Ａの高さを変えることによって、覆蓋材１０の一端と他端との差（ｈ）をもたせて水勾配θを設けることができる。
【００５８】
なお、この支持部材は第１実施形態における化粧カバー２７も兼ねるために覆蓋材１０の幅寸法全体にわたる寸法を有している。
【００５９】
また、第２実施形態においては、図１２に示すように、支持部材２０Ａを用いないで、覆蓋材１０の一端と他端との差（ｈ）をもたせて水勾配θを設けることも可能である。
【００６０】
また、上記支持部材２０Ａの上端部と覆蓋材１０の端部を接合する接合部材６０は、覆蓋材１０及び支持部材２０Ａの端部をそれぞれ嵌合する嵌合溝６１と、両嵌合溝６１を連結する中空連結部６２とを有するアルミニウム製押出形材にて形成されている。この場合、中空連結部６２は、嵌合溝６１を有する隣接する２辺が直角に形成される三角形状に形成されて、上端部に外方に向かって下り勾配の傾斜面６３が形成されている。なお、嵌合溝６１内に嵌合される覆蓋材１０の端部及び支持部材２０Ａの上端部は、それぞれ固定ボルト６４ａとナット６４ｂの締結によって固定されている。
【００６１】
上記のように構成することにより、覆蓋すなわち覆蓋材１０と支持部材２０Ａとの接合を容易かつ強固にすることができると共に、接合部からの雨水等の浸入を阻止することができる。
【００６２】
また、第２実施形態におけるローラ３０は、図１１，図１３及び図１４に示すように、支持部材２０Ａの下端部を嵌合する嵌合溝７１を有するアルミニウム製押出形材にて形成される桁材７０の下端部に装着されている。なお、支持部材２０Ａの下端部は桁材７０の嵌合溝７１内に嵌合され、固定ボルト７２ａとナット７２ｂの締結によって固定されている。
【００６３】
なお、第２実施形態において、その他の部分は第１実施形態と同じであるので、同一部分には同一符号を付して、説明は省略する。
【００６４】
＜その他の実施形態＞
上記実施形態では、覆蓋が５枚の覆蓋材１０によって形成される場合について説明したが、５枚以外の複数枚の覆蓋材１０によって覆蓋を形成してもよい。
【００６５】
また、第１実施形態においても、第２実施形態と同様に、覆蓋材１０と支持部材２０とを接合部材６０を用いて接合することも可能である。
【００６６】
なお、上記実施形態では、貯水槽１の開口部２を閉塞する覆蓋について説明したが、この発明に係る覆蓋は、貯水槽以外の屋外設置槽にも適用できることは勿論である。
【図面の簡単な説明】
【００６７】
【図１】この発明に係る屋外設置槽用覆蓋の第１実施形態の使用状態（被覆状態）を示す概略平面図である。
【図２】図１のＩ−Ｉ線に沿う概略断面図である。
【図３】図１のII−II線に沿う概略断面図である。
【図４】この発明の第１実施形態における覆蓋材と支持部材の高所側を示す断面図である。
【図５】この発明の第１実施形態における覆蓋材と支持部材の低所側を示す断面図である。
【図６】図２の要部拡大断面図である。
【図７】この発明における覆蓋材のロック機構を示す断面図である。
【図８】図４における上方に位置する覆蓋材の支持部材とローラを示す側面図である。
【図９】図４における下方に位置する覆蓋材の支持部材とローラを示す側面図である。
【図１０】覆蓋材（等分布荷重の単純梁）のたわみを示す説明図（ａ）及びたわみ角と高さの差を示す説明図（ｂ）である。
【図１１】この発明に係る第２実施形態における覆蓋材と支持部材の高所側を示す断面図である。
【図１２】この発明に係る第２実施形態における覆蓋材と支持部材の低所側を示す断面図である。
【図１３】図１１における上方に位置する覆蓋材の支持部材とローラを示す側面図である。
【図１４】図１１における下方に位置する覆蓋材の支持部材とローラを示す側面図である。
【符号の説明】
【００６８】
１  貯水槽（屋外設置槽）
２  開口部
１０，１０Ａ〜１０Ｅ  覆蓋材
１１  表面板
１２  中空コア材
２０，２０Ａ  支持部材
２１Ａ，２１Ｂ  押出形材
２３  嵌合凸条
２４  嵌合凹条
３０  ローラ
３５  ガイドローラ
４０  レール
４３  起立凸状片
４５  浮上り母子片
６０  接合部材
６１  嵌合溝
６２  中空連結部
θ  水勾配
ｈ  覆蓋材の一端と他端との高さの差
【図１】
2007239396.tif 000004
【図２】
2007239396.tif 000005
【図３】
2007239396.tif 000006
【図４】
2007239396.tif 000007
【図５】
2007239396.tif 000008
【図６】
2007239396.tif 000009
【図７】
2007239396.tif 000010
【図８】
2007239396.tif 000011
【図９】
2007239396.tif 000012
【図１０】
2007239396.tif 000013
【図１１】
2007239396.tif 000014
【図１２】
2007239396.tif 000015
【図１３】
2007239396.tif 000016
【図１４】
2007239396.tif 000017